(57)【要約】  製品、特に化粧品をパッケージング及び適用するためのアセンブリを作成するためのキット（１０）であって、１つの部分に、前記製品を収容する少なくとも１つの内容積（２２）の範囲を定める少なくとも１つの容器（２０）と、内容積にアクセスするための開口部（２８）を画定する、少なくとも１つの容器（２０）の少なくとも１つの自由端であって、前記開口部は、アプリケータ部材を有しない一時的なクロージャ部材（２９）によって封止されている、少なくとも１つの自由端と、もう１つの部分に、前記内容積（２２）に少なくとも一部挿入することができ、少なくとも１つのアプリケータ部材（３２）と、前記アプリケータ部材（３２）を支持するステム（３４）と、前記ステム（３４）に固定された把持部材（３６）と、前記ステムの周りに取り付けられ、前記ステムに取り外し可能に固定されたふき取り部材（３８）と、を含む、前記製品を適用するための少なくとも１つのデバイス（３０）と、を含む、キット（１０）。把持部材（３６）は、化粧品をパッケージング及び適用するためのアセンブリを形成するように一時的なクロージャ部材（２９）を代替するように構成されているキャップを形成し、前記把持部材（３６）は前記容器（２０）の開口部（２８）を取り外し可能な状態で閉じることができ、把持部材が前記開口部（２８）を閉じると、アプリケータ部材（３２）は容器（２０）内に配置される。
2019536557.tif 000002
【特許請求の範囲】
【請求項１】
製品、特に化粧品をパッケージング及び適用するためのアセンブリを作成するためのキット（１０、４０、６０）であって、
１つの部分に、前記製品を収容する少なくとも１つの内容積（２２、７２ａ、７２ｂ）の範囲を定める少なくとも１つの容器（２０、７０）であって、前記少なくとも１つの容器（２０、７０）の少なくとも１つの自由端が、前記内容積にアクセスするための開口部（２８、７８ａ、７８ｂ）を画定し、前記開口部が、アプリケータ部材を有しない一時的なクロージャ部材（２９、７９ａ、７９ｂ）によって封止されている、少なくとも１つの容器（２０、７０）を含み、
もう１つの部分に、前記製品を適用するための少なくとも１つのデバイス（３０、１３０、２３０）であって、前記デバイス（３０、１３０、２３０）が、前記容器（２０、７０）の前記内容積（２２、７２ａ、７２ｂ）に少なくとも部分的に挿入することができ、且つ、少なくとも１つのアプリケータ部材（３２、１３２、２３２）と、前記アプリケータ部材（３２、１３２、２３２）を支持するステム（３４、１３４、２３４）と、前記ステム（３４、１３４、２３４）に固定された把持部材（３６、１３６、２３６）と、前記ステムの周りに取り付けられ、前記ステムに取り外し可能に固定されたふき取り部材（３８、１３８、２３８）と、を含み、前記把持部材（３６、１３６、２３６）が、前記化粧品をパッケージング及び適用するためのアセンブリを形成するように、前記一時的なクロージャ部材（２９、７９ａ、７９ｂ）を代替するように構成されているキャップを形成し、前記把持部材（３６、１３６、２３６）が、取り外し可能な状態で前記容器（２０、７０）の前記開口部（２８、７８ａ、７８ｂ）を閉じることができ、前記把持部材が前記開口部（２８、７８ａ、７８ｂ）を閉じると、前記アプリケータ部材（３２、１３２、２３２）は前記容器（２０、７０）内に配置される、デバイス（３０、１３０、２３０）を含む、ことを特徴とするキット（１０、４０、６０）。
【請求項２】
前記製品を適用するための少なくとも２つのデバイス（３０、１３０）を含み、第１の適用デバイス（３０）の前記アプリケータ部材（３２）は、第２の適用デバイス（１３０）の前記アプリケータ部材（１３２）とは異なる、請求項１に記載のキット（４０、６０）。
【請求項３】
前記第１の適用デバイス（３０）の前記アプリケータ部材（３２）の外径は、前記第２の適用デバイス（１３０）の前記アプリケータ部材（１３２）の外径よりも小さい、請求項２に記載のキット（４０、６０）。
【請求項４】
化粧品をそれぞれ収容する少なくとも２つの容器を含み、２つの前記化粧品は異なる配合を有し、前記容器のそれぞれは、前記製品を収容する少なくとも１つの内容積の範囲を定め、及び前記容器の少なくとも１つの自由端は、前記内容積にアクセスするための開口部を画定し、前記開口部のそれぞれは、アプリケータ部材を有しない一時的なクロージャ部材によって封止されている、請求項１〜３のいずれか一項に記載のキット。
【請求項５】
前記容器（７０）は、化粧品をそれぞれ収容する２つの内容積（７２ａ、７２ｂ）の範囲を定め、前記容器（７０）の少なくとも２つの自由端はそれぞれ、前記内容積にアクセスするための開口部（７８ａ、７８ｂ）を画定し、前記開口部のそれぞれは、アプリケータ部材を有しない一時的なクロージャ部材（７９ａ、７９ｂ）によって封止されている、請求項１〜４のいずれか一項に記載のキット（６０）。
【請求項６】
前記容器（２０、７０）は少なくとも１つのネックを含み、前記ネックの端部に前記開口部（２８、７８ａ、７８ｂ）が配置されている、請求項１〜５のいずれか一項に記載のキット。
【請求項７】
前記一時的なクロージャ部材は、前記開口部（２８、７８ａ、７８ｂ）を一時的に封止するための、前記自由端の表面と面一のメンブレンシールである、請求項１〜６のいずれか一項に記載のキット。
【請求項８】
前記一時的なクロージャ部材は、前記開口部のねじ山（２６ａ、７６ａ、７６ｂ）上に一時的にねじ止めされる蓋である、請求項１〜６のいずれか一項に記載のキット。
【請求項９】
前記ふき取り部材（３８、１３８、２３８）は、前記容器の前記開口部の直径に実質的に等しい外径を有する本体（３８ａ、１３８ａ、２３８ａ）を含み、前記本体（３８ａ、１３８ａ、２３８ａ）は２つの相対する端部によって範囲が定められており、前記端部のうちの一方は前記ステム（３４、１３４、２３４）と径方向に接触している、請求項１〜８のいずれか一項に記載のキット（１０、４０、６０）。
【請求項１０】
前記ステムと径方向に接触する前記ふき取り部材（３８、１３８、２３８）の前記端部は、前記ふき取り部材を、前記ステム（３４、１３４、２３４）の外部表面上の摩擦によって前記ステム（３４、１３４、２３４）上に保持することができるふき取りリップ（３８ｃ、１３８ｃ、２３８ｃ）を含む、請求項９に記載のキット（１０、４０、６０）。
【請求項１１】
前記ふき取りリップ（３８ｃ、１３８ｃ、２３８ｃ）は、前記ふき取りリップ（３８ｃ、１３８ｃ、２３８ｃ）の自由端部によって、前記ステム（３４、１３４、２３４）の断面以下の断面を有するふき取り孔（３８ｄ、１３８ｄ、２３８ｄ）の範囲を定める、請求項１０に記載のキット（１０、４０、６０）。
【請求項１２】
前記把持部材（３６、１３６、２３６）は、前記一時的なクロージャ部材（２９、７９ａ、７９ｂ）が取り外された後に前記容器（２０、７０）の前記自由端上のねじ山（２６ａ、７６ａ、７６ｂ）上にねじ止めすることを目的としたねじ切りされた内部表面（３６ｃ、１３６ｃ、２３６ｃ）を含む管状の取付スカート（３６ａ、１３６ａ、２３６ａ）を有する、請求項１〜１１のいずれか一項に記載のキット（１０、４０、６０）。
【請求項１３】
前記ふき取り部材（３８、１３８、２３８）は、前記取付スカート（３６ａ、１３６ａ、２３６ａ）内に固定されている、請求項１２に記載のキット（１０、４０、６０）。
【請求項１４】
前記ふき取り部材（３８、１３８、２３８）は、前記一時的なクロージャ部材が取り外され、前記デバイス（３０、１３０、２３０）が前記容器（２０、７０）に結合された後、前記容器（２０、７０）の相補形の保持部材（２６ｂ、８９ａ、８９ｂ）と協働することができる保持部材（３８ｂ、１３８ｂ、２３８ｂ）を含む、請求項１〜１３のいずれか一項に記載のキット（１０、４０、６０）。
【請求項１５】
前記ステム（３４、１３４、２３４）への前記ふき取り部材（３８、１３８、２３８）の固定は、１Ｎ以下の引張力に耐えるように設計されている、請求項１〜１４のいずれか一項に記載のキット（１０、４０、６０）。
【発明の詳細な説明】
【技術分野】
【０００１】
本発明は、化粧品をパッケージング及び適用するためのアセンブリを作成するためのキットに関する。
【背景技術】
【０００２】
用語「化粧品（ｃｏｓｍｅｔｉｃ  ｐｒｏｄｕｃｔ）」は、特に、本発明の意味の範囲内においては、化粧品に関する２００９年１１月３０日の欧州議会及び理事会規則（ＥＣ）第１２２３／２００９に定義される製品を意味するものと理解される。
【０００３】
より具体的には、本発明によるパッケージング及び適用アセンブリは、メークアップ又はケア製品などの化粧品の、例えば、ケラチン繊維への適用、特に、マスカラの、睫毛又は眉毛への適用を意図したものである。
【０００４】
マスカラは、睫毛又は眉毛に適用することを目的とした組成物であると理解される。組成物は、特に、睫毛若しくは眉毛用メークアップ組成物、「ベースコート」として知られる睫毛用メークアップベース、「トップコート」として知られるマスカラ上に適用される組成物、又は睫毛若しくは眉毛の化粧トリートメント用組成物であってもよい。
【０００５】
化粧品はまた、例えば、唇用のメークアップ若しくはケア製品、例えば、グロス、又は例えば、目用のメークアップ若しくはケア製品、例えば、アイライナー、又は爪用のメークアップ若しくはケア製品、例えば、マニキュアであり得る。
【０００６】
前記製品を特にケラチン繊維に適用すること、特に、マスカラを睫毛に適用することを目的とした多くの化粧品アプリケータが知られている。
【０００７】
一般に、アプリケータは、処置される身体部分に接触させることを目的とした適用表面を画定するアプリケータ部材を含む。
【０００８】
アプリケータ部材は、略細長形状の本体又はコアを有し、本体又はコアは、前記コアから突出する適用要素を支持することができる。好ましくは、適用要素はコアに実質的に垂直な全般的方向に延びる。
【０００９】
アプリケータはまたステムを含み、ステムは把持部材に固定され、ステムの端部にアプリケータ部材が固定されている。把持部材は、一般に、化粧品を収容している容器の開口部を密閉状態で封止することができる。
【００１０】
睫毛又は眉毛用の異なる種類のアプリケータ部材、例えば、「ファイバー」アプリケータ部材として知られるアプリケータ部材、及び「モールド」アプリケータ部材として知られるアプリケータ部材が存在する。「ファイバー」アプリケータ部材は、一般に、コアを形成する金属ワイヤの２つのアームを、金属ワイヤから径方向に延びる荒毛の房の周りに螺旋状に巻き付ける又はより合わせることによって形成される。「モールド」アプリケータ部材は、少なくとも１つの熱可塑性材料、特にエラストマー材料を少なくとも一部成形することによって得られる。
【００１１】
化粧品の特定の組成物に加えて、アプリケータは、化粧品の適用品質及び載せられる製品の量において重要な役割を果たす。載せられる製品の量は更に、一般に、適用前にアプリケータから余分な製品を除去することを可能にする「ワイパ」として知られるふき取り部材によって調節される。
【００１２】
そのような化粧品、特にマスカラは、１つの部分に、化粧品を収容することを目的としたリザーバを形成する本体と、開口部の範囲を定める、本体の自由端であって、前記開口部にはふき取りデバイスが備えられている自由端と、もう１つの部分に、アプリケータ部材を支持する第１端部と把持部材を支持する第２の反対端部とを有するステムを含むアプリケータと、含む、パッケージング及び適用デバイス内の対応するアプリケータ及び対応するワイパとともに包装され、販売される。
【００１３】
把持部材はまた、一般に、容器の開口部を取り外し可能な状態で閉じることができるキャップを形成し、アプリケータ部材は、把持部材が容器の開口部を閉じているとき、リザーバ内に配置されている。
【００１４】
したがって、アプリケータは、アプリケータ部材がリザーバ内に配置され、リザーバ内に収容された化粧品に少なくとも一部接触させることができる含浸位置として知られる位置と、アプリケータ部材を処置される人の体の部分に接触させることができる適用位置として知られる位置との間で移動可能である。
【００１５】
米国特許出願公開第２０１５／０１３５６４８−Ａ１号明細書（ＧＥＫＡ）は、対応する化粧品アプリケータの輸送中に、ブラシが破損しないように化粧品アプリケータのブラシを保護するための保護機能も提供するワイパについて記載する。
【００１６】
この目的のため、ワイパは、パッケージング及び適用アセンブリを形成するためのアプリケータと容器の最終組み立て中、容器内に取り付けられる前に、アプリケータに一時的に取り付けられる。
【００１７】
特にマスカラ製品用の容器、容器のネックに固定されたインサート、及び把持部材とアプリケータステムとアプリケータとを含む化粧品用のアプリケータ部材について記載する米国特許出願公開第２０１５／０１８２００３−Ａ１号明細書（Ｃｈａｒｌｅｓ  Ｐ．Ｎｅｕｎｅｒ）も参照されたい。インサートは、いくつかの機能を実施するために設けられる。この目的のために、インサートは、アプリケータから余分な化粧品をふき取るためのふき取り部材を形成する部分と、アプリケータステムを保持するための部材がねじ止めされるねじ切り部分と、を含む。しかしながら、複数の部品及びふき取り部材の複雑な形状は、製造現場で様々な要素を結合する必要があることを意味する。これは、様々な要素が結合されなければ、容器内に収容された化粧品が流れ出る可能性があるからである。
【００１８】
上で示したように、化粧品、アプリケータ部材、及びワイパ間の特定の関連付けが適用結果において重要な役割を果たす。これはメークアップ製品においては特に重要である。
【００１９】
したがって、あるユーザはアプリケータ部材と化粧品配合の特定の組み合わせを使用することの方を好む場合がある一方、別のユーザは同じ化粧品配合を異なるアプリケータ部材とともに、又は同じアプリケータ部材を異なる組成物とともに使用したい場合がある。
【００２０】
残念ながら、広告での言及（ｃｏｍｍｅｒｃｉａｌ  ｒｅｆｅｒｅｎｃｅｓ）を増やし、保管及び販売スペースを増加することなくして非常に多くの組み合わせをユーザに提供することは極めて困難である。
【００２１】
したがって、より多くの、より個別化された化粧品／アプリケータ部材／ワイパの組み合わせを提供できる必要がある。
【発明の概要】
【課題を解決するための手段】
【００２２】
本発明の対象は、１つの部分に、前記製品を収容する少なくとも１つの内容積の範囲を定める少なくとも１つの容器と、内容積にアクセスするための開口部を画定する、少なくとも１つの容器の少なくとも１つの自由端であって、前記開口部は、アプリケータ部材を有しない一時的なクロージャ部材によって封止されている、少なくとも１つの自由端と、を含む、製品、特に化粧品をパッケージング及び適用するためのアセンブリを作成するためのキットである。
【００２３】
作成キットは、もう１つの部分に、容器の内容積に少なくとも一部挿入することができ、少なくとも１つのアプリケータ部材と、前記アプリケータ部材を支持するステムと、前記ステムに固定された把持部材と、前記ステムの周りに取り付けられ、前記ステムに径方向に取り外し可能に固定されたふき取り部材と、を含む、前記製品を適用するための少なくとも１つのデバイスを含む。把持部材は、容器内に収容された化粧品をパッケージング及び適用するためのアセンブリを形成するように、一時的なクロージャ部材を代替するように構成されているキャップを形成する。したがって、前記把持部材は、取り外し可能な状態で前記容器の開口部を閉じることができ、把持部材が前記開口部を閉じると、アプリケータ部材は容器の内容積内に配置される。
【００２４】
したがって、ユーザは、適用したい化粧品を収容する容器、及び所望の効果のために設計されたアプリケータを選択することによって、化粧品の適用を自身で個人化することができる。これによって、効果的なふき取りを有するために各化粧品アプリケータに適したふき取り部材を設計することが可能である。
【００２５】
したがって、ワイパの直径は、適用結果を最適化するために、アプリケータ部材に応じて変更することができる。
【００２６】
「作成キット（ｐｒｏｄｕｃｔｉｏｎ  ｋｉｔ）」は、少なくとも、同じ容器でばらばらの形態で販売され、使用のためにユーザによって結合されることを目的とした要素を含むプレゼンテーションアセンブリ又は組み立て式アセンブリであると理解される。
【００２７】
要素、即ち、容器及び／又はアプリケータは、専用のパッケージング、特に、ブリスターパックで別々に包装され得る。
【００２８】
「一時的なクロージャ部材（ｔｅｍｐｏｒａｒｙ  ｃｌｏｓｕｒｅ  ｍｅｍｂｅｒ）」は、容器の開口部を、限られた時間の間、例えば、容器の輸送及び／又はその保管中（保管には、店頭陳列又は棚陳列を含む）封止するクロージャ部材であると理解される。容器が適用デバイスに結合される間、一時的なクロージャ部材は取り外され、把持部材が一時的なクロージャ部材を代替し、適用部材が容器の内部空洞内に位置するときに容器の開口部を封止するキャップを代わりに形成する。したがって、この状態において、容器は、キャップを形成する把持部材のおかげで内部空洞内に収容された製品が流出することができないように、密閉状態で閉じられる。
【００２９】
ふき取り部材は、アプリケータ部材を収容する適用デバイスの領域内には配置されない。
【００３０】
一実施形態によれば、作成キットは、前記製品を適用するための少なくとも２つのデバイスを含み、第１の適用デバイスのアプリケータ部材は、第２の適用デバイスのアプリケータ部材とは異なる。
【００３１】
したがって、適用される製品の適用先及び適用される製品の量に応じてどのアプリケータを使用したいかをユーザが決定することができるように、ユーザは、アプリケータ部材に好適なふき取り部材をそれぞれ有するいくつかの異なるアプリケータを有する。
【００３２】
有利には、第１の適用デバイスのアプリケータ部材の外径は、第２の適用デバイスのアプリケータ部材の外径よりも小さい。
【００３３】
別の実施形態によれば、作成キットは、化粧品をそれぞれ収容する少なくとも２つの容器を含み、２つの化粧品は異なる配合を有する。容器のそれぞれは、前記製品を収容する少なくとも１つの内容積の範囲を定め、容器の少なくとも１つの自由端は、内容積にアクセスするための開口部を画定し、前記開口部のそれぞれは、アプリケータ部材を有しない一時的なクロージャ部材によって一時的に封止されている。
【００３４】
更に別の実施形態によれば、容器は、化粧品をそれぞれ収容する２つの内容積の範囲を定め、容器の少なくとも２つの自由端はそれぞれ、内容積にアクセスするための開口部を画定し、前記開口部のそれぞれは、アプリケータ部材を有しない一時的なクロージャ部材によって封止されている。２つの化粧品は異なる配合を有する。
【００３５】
したがって、１つの容器内に、異なる配合を有する２つの化粧品を提供することが可能である。したがって、ユーザは、アプリケータの１つ及び化粧品の１つを所望の用途に応じて使用する選択肢を有する。
【００３６】
有利には、容器は少なくとも１つのネックを含み、ネックの端部に前記開口部が配置されている。
【００３７】
一時的なクロージャ部材は、例えば、前記開口部を一時的に封止するための、自由端の表面と面一のメンブレンシールであってもよく、又は開口部のねじ山上に一時的にねじ止めされる蓋であってもよい。
【００３８】
有利には、ふき取り部材は、容器の開口部の直径に実質的に等しい外径を有する本体を含み、本体は２つの反対端部によって範囲が定められており、端部の１つはステムと径方向に接触している。
【００３９】
ステムと径方向に接触するふき取り部材の前記端部は、例えば、前記ふき取り部材を、前記ステムの外部表面上の摩擦によってステム上に保持することができるふき取りリップを含む。
【００４０】
したがって、適用デバイスのステムにふき取り部材を固定するための付加的な部材を設ける必要はなく、このことは設計及び結合をより簡単且つより低コストにする。
【００４１】
ふき取りリップは、その自由端部によって、ステムの断面以下の断面を有するふき取り孔の範囲を定めてもよい。
【００４２】
一実施形態によれば、把持部材は、一時的なクロージャ部材が取り外された後に容器の自由端上のねじ山上にねじ止めすることを目的としたねじ切りされた内部表面を含む管状取付スカートを有する。したがって、適用デバイスに対するふき取り部材の固定の確実性を更に高めるために、ふき取り部材は、ねじ切りされた表面の近傍の前記取付スカート内に固定され得る。
【００４３】
有利には、ふき取り部材は、一時的なクロージャ部材が取り外され、適用デバイスが容器に結合された後、容器の相補形の保持部材と協働することができる保持部材を含む。
【００４４】
例えば、アプリケータ部材は、２５ｍｍ〜５５ｍｍ、例えば、３ｍｍ又は４ｍｍに等しい外径を有する。
【００４５】
ステムに対するふき取り部材の固定は、例えば、１Ｎ以下の引張力に耐えるように設計されている。
【００４６】
アプリケータ部材は、化粧品を睫毛若しくは眉毛に適用することを目的としたツイスト若しくはモールドブラシの形態で作成されてもよく、又は化粧品を肌に適用することを目的としたアイライナー、ファインブラシ、若しくは発泡体ブロックの形態で作成されてもよい。
【００４７】
本発明の更なる目的、特徴、及び利点は、単に非限定的な例として、添付の図面を参照して記載される以下の説明を読むと明らかとなるであろう。
【図面の簡単な説明】
【００４８】
【図１】本発明の第１の実施形態による、結合される前の、化粧品をパッケージング及び適用するためのアセンブリを作成するためのキットの断面図を示す。
【図２】図１のキットが結合された後の、製品をパッケージング及び適用するためのアセンブリの図である。
【図３】本発明の第２の実施形態による、結合される前の、化粧品をパッケージング及び適用するためのアセンブリを作成するためのキットの断面図を示す。
【図４】本発明の第３の実施形態による、結合される前の、化粧品をパッケージング及び適用するためのアセンブリを作成するためのキットの断面図を示す。
【発明を実施するための形態】
【００４９】
化粧品をパッケージング及び適用するためのアセンブリを作成するためのキット１０を図１に示す。
【００５０】
適用される製品は、例えば化粧品、例えばケラチン繊維に適用することを目的とした、例えばメークアップ又はケア製品、特に、ユーザの睫毛又は眉毛に適用することを目的としたマスカラであってもよい。しかしながら、適用される製品は、それ以外の化粧品又はケア製品、例えば、唇を化粧するための製品、例えばグロス、又は目を化粧するための製品、例えばアイライナー、又は爪を化粧するための製品、例えば、マニキュア、又は更には、非化粧品、例えば塗料であり得る。
【００５１】
図１に示されるように、製品をパッケージング及び適用するためのアセンブリを作成するためのキット１０は、１つの部分に、前記製品を収容する内容積２２の範囲を定める容器２０、及びもう１つの部分に、前記製品の適用デバイス３０即ちアプリケータを含む。
【００５２】
容器２０は、垂直と想定される状態で示される長手方向全体軸Ｘ１−Ｘ１’に沿って延びる。
【００５３】
容器２０の本体には、底部を形成する閉鎖下端部２４と、下端部２４の反対側にあり、製品を収容している内容積２２へのアクセスを可能にする、開口部２８が設けられたネックを形成する上端部２６と、が設けられている。変形形態では、容器の本体がネックを含まず、開口部が前記容器の自由端に作製されるようにされ得る。
【００５４】
図示される実施形態では、ネック２６は、容器２０の本体の外径よりも小さな外径を有し、その外部表面にねじ山２６ａを含む。容器２０の本体は、例えば、硬質プラスチック材料で作製してもよい。
【００５５】
図１に示されるように、輸送中、及び容器２０が適用デバイス３０に結合される前、容器２０の開口部２８は、一時的なクロージャ部材２９によって封止されている。一時的なクロージャ部材２９は、容器内に収容された製品のためのアプリケータ部材を有しない。図示される例及び完全に非限定的な手法では、クロージャ部材２９は、ネック２６のねじ山２６ａ上に密閉状態でねじ止めすることができる蓋である。前記開口部２８を閉じるために、任意の他のクロージャ部材、例えばネックの表面と面一のメンブレンシールも設けることができる。
【００５６】
適用デバイス３０即ちアプリケータは、垂直と想定される状態で示される長手方向全体軸Ｘ２−Ｘ２’に沿って延びる。適用デバイス３０は、アプリケータ部材３２と、ステム３４と、把持部材３６と、ふき取り部材即ちワイパ３８と、を含む。
【００５７】
アプリケータ部材３２は、本体、即ち細長形状のコアを有する。アプリケータ部材３２は、ファイバーアプリケータ部材であってもよく、又は少なくとも１つの熱可塑性材料、特にエラストマー材料を少なくとも一部成形することによって得られてもよい。アプリケータ部材３２は、適用要素（不図示）を支持してもよい。
【００５８】
例示として、アプリケータ部材３２は、２５ｍｍ〜５５ｍｍ、例えば、３ｍｍ又は４ｍｍに等しい外径Φを有してもよい。
【００５９】
ステム３４は、アプリケータ部材３２に固定された第１端部と、把持部材３６に固定された第２端部と、を含む。図示される例では、ステム３４はその長さ全体にほぼ沿って円形断面を有する。変形形態では、例えば、正方形若しくは矩形などの多角形、又は楕円形等の他の形状がステムの断面のために提供され得る。
【００６０】
ステム３４及び把持部材３６は、例えば、プラスチック材料を射出成形することによって一体部品に製作されてもよく、これにアプリケータ部材３２が後に取り付けられる。ステムは、任意の他の手段、例えば、接着結合、ねじ止め等によって把持部材に固定され得る。
【００６１】
把持部材３６は、管状取付スカート３６ａと、軸Ｘ２−Ｘ２’に対して実質的に垂直に延び、取付スカートに取り付けられている横断壁３６ｂと、を有する。取付スカート３６ａは、図２に示されるように、クロージャ部材２９が取り外された後に容器２０のネック上のねじ山２６ａ上にねじ止めされることを目的とした、ねじ切りされた内部表面３６ｃを含む。このため、把持部材３６は一時的なクロージャ部材２９を代替し、したがって、容器２０の開口部を、密閉され且つ取り外し可能な状態で封止するように構成されているクロージャキャップを形成する。図２は、製品をパッケージング及び適用するためのアセンブリを形成するために図１のキットを結合させた状態を示し、アプリケータ部材３２は、把持部材３６が容器２０の開口部２８を閉鎖する位置にあるとき、容器２０の内容積２２内に位置する。
【００６２】
図１及び図２に示されるように、ふき取り部材３８は、容器のネック２６の内径に実質的に等しい外径を有する円筒状本体３８ａを含む。本体３８ａは、２つの反対端部によって範囲が定められており、端部の１つは、ステム３４の外部表面に径方向に接触している。本体３８ａはその外部表面に、適用デバイス３０が容器２０に結合された後に本体３８ａを容器２０上に保持するための部材３８ｂを含む。図示されるように、保持部材３８ｂは、図２に示される結合状態において、ネックの内部表面に作られた対応する溝２６ｂ内にスナップ締結されることを目的とした環状隆起の形態で作製されている。この結合状態において、本体３８ａは、容器のネック２６の内部表面と径方向に密閉接触して取り付けられている。代替として、保持部材は複数の互いに平行な環状隆起の形態に、又は隆起が、ふき取り部材の本体の周囲において互いに離間した少なくとも２つの半円形部分を含むようにされ得る。
【００６３】
ふき取り部材３８はまた、本体の第１の自由端部に、環状ふき取りリップ３８ｃを有し、その自由端部に、実質的に円形断面を有するふき取り孔３８ｄを画定する。このふき取りリップ３８ｃはステム３４の方向に延び、アプリケータが容器から取り出される際、少なくともステム３４を、又は更には、アプリケータ部材３２も押すような寸法にされている。ふき取りリップ３８ｃは、この場合、本体３８ａに対して斜めに、軸Ｘ２−Ｘ２’に向かって延びる。
【００６４】
容器２０内に収容された製品が、結合状態においてステムと適用デバイス３０の把持部材３６の取付スカート３６ａとの間に範囲が定められる空間へと漏れるのを防止するために、孔３８ｄの内径は、ステム３４の外径よりも小さい又はこれに等しいことが好ましい。
【００６５】
ふき取り部材３８の本体３８ａは、第１端部の反対側の第２端部に、適用デバイス３０の把持部材３６の取付スカート３６ａの内径に実質的に等しい外径を有する環状フランジ３８ｅを含む。適用デバイス３０が容器２０に結合された後、フランジ３８ｅは容器のネック２６を軸方向に支持する。
【００６６】
ふき取り部材３８は、例えば、エラストマー材料、又はポリオレフィン、特にポリエチレン、又は任意の他のプラスチック材料で作製してもよい。ふき取りリップ３８ｃは、例えば、ふき取り部材３８の本体３８ａよりも可撓性がある。
【００６７】
図１に示されるように、適用デバイス３０が容器２０に結合される前に、ふき取り部材３８はステム３４の周りに取り付けられ、その第１の自由端部によって、ステム３４に径方向に取り外し可能に固定される。適用デバイス３０が容器２０に結合される前、ふき取り部材３８は、アプリケータ部材３２を含む適用デバイス３０の領域内にない。好ましくは、ふき取り部材３８は、ステム３４の円筒状の外部表面上におけるふき取りリップ３８ｃの摩擦によってステム３４上に保持される。ステム３４に対するふき取り部材３８の取り外し可能な固定は、１Ｎ以下の引張力に耐えるように設計されている。例えば１Ｎよりも大きな引張力をふき取り部材３８に加えると、ふき取り部材３８はステム３４から外れる。
【００６８】
好ましくは、ふき取り部材３８は、環状フランジ３８ｅが取付スカート３６のねじ山３６ｃによって軸方向に保持されるように、把持部材３６の取付スカート３６ａ内に取り付けられている。これにより、適用デバイス３０に対するふき取り部材３８の取り付けの確実性を高めることを可能にする。
【００６９】
ユーザは、製品をパッケージング及び適用するためのアセンブリを形成するために作成キット１０を結合したいとき、容器２０の開口部２８を開き、その中に適用デバイス３０を挿入しなければならない。ふき取り部材３８は、その後、その保持部材３８ｂを、容器のネック内の対応する溝２６ｂに入れることによってスナップ締結される。例示として、保持部材３８ｂは、５Ｎ以下の引張力に耐えるように構成されていてもよい。図２に示される結合状態において、把持部材３６は容器２０を支持する。
【００７０】
同一要素に同一参照符号が付される、図３に示される実施形態は、製品をパッケージング及び適用するためのアセンブリを作成するためのキット４０が付加的な適用デバイス１３０を含むという点で、図１に示される実施形態とは異なる。第１の適用デバイス３０の要素の参照符号に１００を加えた参照符号が付されている第２の適用デバイス１３０の要素は、第１の適用デバイス３０の要素と同一である。
【００７１】
第１の適用デバイス３０と同様に、長手方向全体軸Ｘ３−Ｘ３’の第２の適用デバイス１３０即ちアプリケータは、アプリケータ部材１３２と、ステム１３４と、把持部材１３６と、ふき取り部材即ちワイパ１３８と、を含む。
【００７２】
図３に示されるように、第２のアプリケータ１３０のアプリケータ部材１３２は、第１の適用デバイス３０のアプリケータ部材３２の断面よりも大きな断面を有する。アプリケータ部材１３２は、例えば、２５ｍｍ〜５５ｍｍの外径Φを有してもよい。アプリケータ部材１３２はアプリケータ部材３２の外径よりも小さな外径を有するようにされ得る。一般に、作成キットにおいて所望の目的に応じて利用可能にされた２つのアプリケータのいずれか一方を使用する選択肢をユーザに提供するために、第２のアプリケータ１３０のアプリケータ部材１３２は、例えば、その直径、その形状、又はそのテクスチャが第１のアプリケータのアプリケータ部材３２とは異なる。
【００７３】
同一要素に同一参照符号が付される、図４に示される実施形態は、製品をパッケージング及び適用するためのアセンブリを作成するためのキット６０が容器７０を含み、容器７０は、それぞれが化粧品と３つの適用デバイス３０、１３０及び２３０とを含む２つの内容積７２ａ、７２ｂの範囲を定めるという点で、図３に示される実施形態とは異なる。
【００７４】
第１の適用デバイス３０の要素の参照符号に２００を加えた参照符号が付されている第３の適用デバイス２３０の要素は、第１の適用デバイス３０の要素と同一である。
【００７５】
容器７０は、垂直と想定される状態で示される長手方向全体軸Ｘ４−Ｘ４’に沿って延びる。
【００７６】
２つの内容積７２ａ、７２ｂは、各内容積の底部を形成する共通の隔壁７４によって分離されている。容器７０の本体はその各端部に、対応する内容積７２ａ、７２ｂへのアクセスを可能にする開口部７８ａ、７８ｂが設けられたネック７６ａ、７６ｂを含む。ネック７６ａ、７６ｂのそれぞれは、その外部表面にねじ山７７ａ、７７ｂを含み、容器７０の本体の外径よりも小さな外径を有する。容器７０の本体は、例えば、硬質プラスチック材料で作製してもよい。
【００７７】
図４に示されるように、輸送中、及び容器７０が適用デバイス３０、１３０又は２３０のうちの１つに結合される前、容器７０の開口部７８ａ、７８ｂは、一時的なクロージャ部材７９ａ、７９ｂによって封止されている。図示される例では、及び完全に非限定的な手法では、一時的なクロージャ部材７９ａ、７９ｂは、対応するネック７６ａ、７６ｂのねじ山７７ａ、７７ｂ上に密閉状態でねじ止めすることができる蓋である。一時的なクロージャ部材７９ａ、７９ｂのそれぞれは、容器内に収容された製品のためのアプリケータ部材を有しない。開口部を閉じるために、任意の他のクロージャ部材、例えば、ネックの表面と面一のメンブレンシールも設けることができる。
【００７８】
第１の適用デバイス３０と同様に、長手方向全体軸Ｘ４−Ｘ４’の第３の適用デバイス２３０即ちアプリケータは、アプリケータ部材２３２と、ステム２３４と、把持部材２３６と、ふき取り部材即ちワイパ２３８と、を含む。
【００７９】
図４に示されるように、第３のアプリケータ２３０のアプリケータ部材２３２は、第１の適用デバイス３０のアプリケータ部材３２の断面よりも小さな断面を有する。アプリケータ部材２３２は、例えば、２５ｍｍ〜５５ｍｍの外径Φを有してもよい。アプリケータ部材２３２は、アプリケータ部材３２の外径よりも大きな外径を有するようにされ得る。一般に、作成キット６０において所望の目的に応じて利用可能にされた３つのアプリケータのいずれかを使用する選択肢をユーザに提供するために、第３のアプリケータ２３０のアプリケータ部材２３２は、例えば、その直径、その形状、又はそのテクスチャが第１及び第２のアプリケータ３０、１３０のアプリケータ部材３２、１３２とは異なる。
【００８０】
第３の適用デバイス２３０は、容器７０の内容積７２ａ、７２ｂの１つに挿入され得る。適用デバイス３０、１３０、２３０のうちの１つが容器の前記内容積の１つに初めて挿入された後、対応する適用デバイスの保持部材３８ｂ、１３８ｂ、２３８ｂは、結合状態において、ネック７６ａ、７６ｂのうちの１つの内部表面に作られた対応する溝８９ａ、８９ｂにスナップ締結される。
【００８１】
第３の適用デバイス２３０の把持部材２３６は、したがって、一時的なクロージャ部材７９ａ、７９ｂの１つを代替し、したがって、容器７０の開口部７８ａ、７８ｂの１つを、密閉され且つ取り外し可能な状態で封止するように構成されているクロージャキャップを形成する。
【００８２】
例えば、第１及び第２のアプリケータ３０、１３０はユーザの睫毛又は眉毛に適用することを目的としたマスカラ型製品のためのアプリケータであり、第３のアプリケータ２３０はユーザのまぶたに製品を適用するために使用されることを目的としたアイライナー型製品のアプリケータである、又は第３のアプリケータ２３０はユーザの唇にグロス型製品を適用するためのファインブラシ若しくは発泡体ブロックの形態であるようにされ得る。同じ製品を適用するための、第３のアプリケータの形状とは異なる形状を有する第４のアプリケータを有するパッケージング及び適用アセンブリを作成するためのキットもまた提供され得る。
【００８３】
異なる製品を収容する２つの類似する容器と１つの適用デバイスとを含む、又は異なる製品を収容する少なくとも２つの類似する容器と少なくとも２つの異なる適用デバイスとを含むパッケージングアセンブリを作成するためのキットもまた提供され得る。
【００８４】
本発明によるパッケージング及び適用アセンブリによって、各アプリケータは、各アプリケータに付属する適用部材に適した特定のふき取り部材を含み、適用される製品の量がより適切に制御されることで、化粧品の適用品質が向上する。
【００８５】
最後に、ユーザは、いくつかの異なるアプリケータ及び／又は異なる製品を収容するいくつかの容器を有してもよく、適用される製品の適用先及び所望の製品量に応じてどのアプリケータ及びどの製品を使用したいかを決定してもよい。したがって、ユーザは、製品をパッケージング及び適用するためのアセンブリを得るために、自身の作成キットを自宅で結合させてもよい。したがって、ユーザは、適用したい化粧品を収容する容器、及び所望の効果のために設計されたアプリケータを選択することによって、化粧品の適用を自身で個人化してもよい。
【符号の説明】
【００８６】
１０、４０、６０  キット
２０、７０  容器
２２、７２ａ、７２ｂ  内容積
２８、７８ａ、７８ｂ  開口部
２９、７９ａ、７９ｂ  クロージャ部材
３０、１３０、２３０  デバイス
３２、１３２、２３２  アプリケータ部材
３４、１３４、２３４  ステム
３６、１３６、２３６  把持部材
３８、１３８、２３８  ふき取り部材
【図１】
2019536557.tif 000003
【図２】
2019536557.tif 000004
【図３】
2019536557.tif 000005
【図４】
2019536557.tif 000006
【国際調査報告】
2019536557.tif 000007
2019536557.tif 000008